【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
少なくとも道路データを記憶する地図情報記憶手段と、
地理的位置を示す座標点の並びから成る座標点列データを含む配信道路情報を外部から取得する配信情報取得手段と、
前記配信情報取得手段によって取得された配信道路情報に含まれる座標点列データに基づき、前記地図情報記憶手段に記憶されている道路データによって表される道路網に付加するための新たな道路データであって、前記地図情報記憶手段に記憶されている道路データと少なくともその一部を同じフォーマットとする前記新たな道路データを生成する道路データ生成手段と、
前記道路データ生成手段で生成された新たな道路データと前記地図情報記憶手段に記憶されている道路データとから新たな地図情報を生成する地図情報更新手段とを備え、
前記道路データ生成手段は、前記新たな道路データと前記地図情報記憶手段に記憶されている道路データとの接続関係を比較し、接続していると判定された場合は、前記地図情報更新手段は前記地図情報記憶手段に記憶されている道路データに前記新たな道路との接続関係を付加する
ことを特徴とする車載情報端末。
【請求項２】
配信情報取得手段によって取得された配信道路情報を記憶する配信道路情報記憶手段を備え、
道路データ生成手段は、前記配信道路情報記憶手段に記憶されている配信道路情報に含まれる座標点列データに基づき、新たな道路データを生成する
ことを特徴とする請求項１記載の車載情報端末。
【請求項３】
配信情報取得手段によって取得された配信道路情報によって示される道路が、地図情報記憶手段に記憶されていない場合に、該道路は未登録であると判定し、記憶されている場合に該道路は登録されていると判定する登録判定手段を備え、
道路データ生成手段は、配信道路情報によって示される道路が前記登録判定手段により未登録と判定された場合にのみ、前記配信情報取得手段によって取得された配信道路情報に含まれる座標点列データに基づき、新たな道路データを生成する
ことを特徴とする請求項１記載の車載情報端末。
【請求項４】
配信情報取得手段によって取得された配信道路情報によって示される道路を走行したか否かを判定する走行判定手段を備え、
道路データ生成手段は、前記走行判定手段によって走行したことが判定された場合に、前記配信情報取得手段によって取得された配信道路情報に含まれる座標点列データに基づき、新たな道路データを生成する
ことを特徴とする請求項１記載の車載情報端末。
【請求項５】
道路データ生成手段によって生成された新たな道路データを記憶する道路データ記憶手段を備え、
地図情報更新手段は、前記道路データ記憶手段に記憶された新たな道路データと地図情報記憶手段に記憶されている道路データとを合成することにより新たな地図情報を生成する
ことを特徴とする請求項１記載の車載情報端末。
【請求項６】
道路データ生成手段によって生成された新たな道路データを記憶する道路データ記憶手段と、
配信情報取得手段によって取得された配信道路情報によって示される道路が、地図情報記憶手段に記憶されていない場合に、該道路は未登録であると判定し、記憶されている場合に該道路は登録されていると判定する登録判定手段と、
前記配信情報取得手段によって取得された配信道路情報によって示される道路を走行したか否かを判定する走行判定手段
とを備えたことを特徴とする請求項１記載の車載情報端末。
【請求項７】
配信情報取得手段によって取得された配信道路情報を記憶する配信道路情報記憶手段を備え、
配信情報取得手段により取得した配信道路情報によって示される道路が、登録判定手段により未登録と判定された場合にのみ、該配信道路情報は前記配信道路情報記憶手段に記憶される
ことを特徴とする請求項３記載の車載情報端末。
【請求項８】
道路データ生成手段は、配信情報取得手段に記憶された配信道路情報によって示される道路を走行したと走行判定手段によって判定されたときに、該配信道路情報の座標点列データから新たな道路データを生成する
ことを特徴とする請求項６記載の車載情報端末。
【請求項９】
配信情報取得手段は、座標点列データの精度を表す精度情報を含む配信道路情報を取得する
ことを特徴とする請求項１記載の車載情報端末。
【請求項１０】
配信情報取得手段は、道路を識別するための道路識別情報を含む配信道路情報を取得し、
登録判定手段は、配信道路情報によって示される道路の道路識別情報が、記憶手段に記憶されている道路の道路識別情報と一致しない場合に、該道路は未登録であると判定し、一致する場合に該道路は登録されていると判定する
ことを特徴とする請求項１記載の車載情報端末。
【請求項１１】
配信情報取得手段は、道路を識別するための道路識別情報と道路属性情報とを含む配信道路情報を取得し、
前記配信情報取得手段により取得された配信道路情報に含まれる道路識別情報によって示される道路の道路属性が、前記配信情報取得手段により取得した配信道路情報の道路属性情報に従って変更される
ことを特徴とする請求項１記載の車載情報端末。
【請求項１２】
現在位置を表す現在位置データ、所望の道路が含まれるエリアを表すエリアデータ、所望の範囲を示すために指定する道路を表す道路指定データ、所望しない道路を表す不要道路指定データ、目的地を表す目的地データおよび所望の期間を表す期間データの少なくとも１つを含む配信要求情報を外部へ送信する配信情報要求手段
を備えたことを特徴とする請求項１記載の車載情報端末。
【請求項１３】
外部から配信される道路の一覧を示す配信道路リストを取得する配信道路リスト取得手段と、
前記配信道路リスト取得手段で取得された配信道路リストの中から所望の道路を選択するリスティング道路選択手段と、
前記リスティング道路選択手段により選択された道路の配信道路情報の取得を外部に要求する道路要求手段
とを備えたことを特徴とする請求項１記載の車載情報端末。
【請求項１４】
外部から配信される道路を含むエリアの一覧を示す配信エリアリストを取得する配信エリアリスト取得手段と、
前記配信エリアリスト取得手段で取得された配信エリアリストの中から所望のエリアを選択するリスティングエリア選択手段と、
前記リスティングエリア選択手段により選択されたエリア内の道路の配信道路情報の取得を外部に要求するエリア要求手段
とを備えたことを特徴とする請求項１記載の車載情報端末。
【請求項１５】
走行状態を表す走行軌跡データに基づき、道路データ記憶手段に記憶されている道路データを修正する道路データ修正手段
を備えたことを特徴とする請求項６記載の車載情報端末。
【手続補正２】
【補正対象書類名】明細書
【補正対象項目名】０００８
【補正方法】変更
【補正の内容】
【０００８】
この発明に係る車載情報端末は、少なくとも道路データを記憶する地図情報記憶手段と、地理的位置を示す座標点の並びから成る座標点列データを含む配信道路情報を外部から取得する配信情報取得手段と、配信情報取得手段によって取得された配信道路情報に含まれる座標点列データに基づき、地図情報記憶手段に記憶されている道路データによって表される道路網に付加するための新たな道路データであって、地図情報記憶手段に記憶されている道路データと少なくともその一部を同じフォーマットとする新たな道路データを生成する道路データ生成手段と、道路データ生成手段で生成された新たな道路データと地図情報記憶手段に記憶されている道路データとから新たな地図情報を生成する地図情報更新手段とを備え、道路データ生成手段は、新たな道路データと地図情報記憶手段に記憶されている道路データとの接続関係を比較し、接続していると判定された場合は、地図情報記更新手段は前記地図情報記憶手段に記憶されている道路データに新たな道路との接続関係を付加するものである。